(57)【要約】      （修正有）【課題】開口部に柔軟性を与える籐細工の縦芯の端部処理構造を提供する。【解決手段】隙間１８aから露出した縦芯１２aの端部１６aを折り返し、隣接する隙間１８bに挿入して固定する。また隙間１８bから露出した縦芯１２bの端部１６bを折り返し、隣接する隙間１８cに挿入して固定する。縦芯１２を互いに絡めずにそれぞれ独立した状態にしておくことにより、それぞれの縦芯１２が比較的自由に動くことができるようになるため、籐かご１０の開口部は籐本来のしなやかさを活かした柔軟性を持つようになる。【選択図】図１
0003186490.tif 000002
【実用新案登録請求の範囲】
【請求項１】
籐細工の縦芯の端部処理構造であって、
縦芯の端部を折り返し、この折り返した部分を、当該縦芯を編み込む編み芯の間に形成された空間に挿入して固定することを特徴とする縦芯の端部処理構造。
【請求項２】
籐細工の縦芯の端部処理構造であって、
縦芯の端部を折り返し、この折り返した部分を、当該縦芯と近接する縦芯を編み込む編み芯の間に形成された空間に挿入して固定することを特徴とする縦芯の端部処理構造。
【請求項３】
請求項１または２に記載の端部処理構造を用いる籐細工であって、
容器部と蓋部とで構成され、
前記容器部の上端部は内側に傾斜するテーパ形状をなし、
前記蓋部の下端部が前記容器部のテーパ形状の上端部と接することで前記蓋部が前記容器部に被さることを特徴とする籐細工。 
【考案の詳細な説明】
【技術分野】
【０００１】
本考案は、籐細工に用いる縦芯の端部処理に関する。
【背景技術】
【０００２】
籐は、主に東南アジアの熱帯地方に生育するヤシ科の植物であり、その軽さと柔軟さ、さらには強靭さゆえに家具や小物等の材料として世界各地で用いられている。我が国では特にバスケットやバッグ、ランプシェード等のかご類の材料として根強い人気がある。籐は、例えばかごを編む場合には、底から開口部にかけて放射状に広がる複数の縦芯と、縦芯を横断するように編み込む編み芯として用いられる。縦芯にはかごの輪郭を形成するとともに強度を維持する役割があるため、比較的堅い籐もしくは太目の籐が用いられる。一方、編み芯は縦芯の間を縫うように編み込んでいくため、比較的柔らかい籐もしくは細目の籐が用いられる。縦芯はかごの輪郭形成に必要な長さより多少長めに用意し、編み芯が規定の高さまで編み上がったら、編み芯の上に飛び出している余分な端部を処理して開口部を形成するのに用いられる（特許文献１参照）。この縦芯の端部処理は、縦芯よりさらに堅い籐に縦芯を巻き付ける別芯添え、縦芯を互いに巻き付けながら開口部に沿って流す巻き止め、うろこ止、スカラップ止、さらには縦芯を左右何れかの方向に流して止める手法等が用いられている。
【先行技術文献】
【特許文献】
【０００３】
【特許文献１】実開平６ー３４９０７号公報
【考案の概要】
【考案が解決しようとする課題】
【０００４】
このような端部処理を施した場合、開口部は構造的に強固なものになるが、反面、縦芯の自由な動きが制限されることから柔軟性に乏しくなりがちである。そのため、従来の籐細工は、実用性を担保するために開口部を大きく開けることで物の出し入れが容易になるようなデザインのものが大勢を占めていた。すなわち、従来の端部処理構造においては、各縦芯が相対的な動きを制限された状態になることから、籐細工はデザインの自由度に乏しく、また機能的にも制限されることが多かった。
【０００５】
本考案は、新規な縦芯の端部処理構造を提供し、籐かごをはじめとする籐細工のデザインの自由度を高めることを目的としている。
【課題を解決するための手段】
【０００６】
本考案の第１の態様は、籐細工の縦芯の端部処理構造であって、縦芯の端部を折り返し、この折り返した部分を、当該縦芯を編み込む編み芯の間に形成された空間に挿入して固定することを特徴とする縦芯の端部処理構造である。
【０００７】
本考案の第２の態様は、籐細工の縦芯の端部処理構造であって、縦芯の端部を折り返し、この折り返した部分を、当該縦芯と近接する縦芯を編み込む編み芯の間に形成された空間に挿入して固定することを特徴とする縦芯の端部処理構造である。
【０００８】
端部の固定とは、空間に挿入され端部が空間から抜脱しない程度に動きが拘束された状態をいい、空間に対する端部のある程度の動きは許容される。
【０００９】
本考案は何れの態様においても、縦芯の端部を従来のように互いに絡ませたり、他の部材に巻き付けたりして固定するのではなく、各縦芯を互いに独立した状態を維持しながら固定することにより、各縦芯の相対的な動きを制限しないことを特徴としている。
【考案の効果】
【００１０】
本考案よる効果としては、縦芯の一本一本を折り返してそれぞれ独立した状態にしておくことにより、各縦芯が比較的自由に動くことができるようになる。その結果、籐かごの開口部は籐の持つしなやかさを活かした比較的自由な変形が可能になる。これにより従来のような大きく開いた形状に限られることがなくなり、籐かごのデザインの自由度が大幅に増すことから、商品としての魅力や使い勝手の向上が期待できる。
【図面の簡単な説明】
【００１１】
【図１】籐細工の製作過程の状態を示す図
【図２】籐細工の製作過程の状態を示す図
【図３】完成した籐細工の一例を示す図
【図４】完成した籐細工の一例を示す図
【図５】完成した籐細工の一例を示す図
【考案を実施するための形態】
【００１２】
図１および図２は籐かごの製作途中の状態を示している。籐かご１０は縦芯１２と編み芯１４とで構成されている。縦芯１２は、籐かご１０の輪郭を形成し、さらには強度を担保する部材であるため、剛性のある比較的堅い籐を用いる。一方、編み芯１４は縦芯１２の間を蛇行するように編み込んでいくため、変形が容易なように比較的柔らかい籐を用いる。
【００１３】
縦芯１２は５本づつ横に並べて束にしたものを２組用意し、それらを十字状に重ねる。編み芯１４は、縦芯１２の重ねられた部分を起点として、その周囲を旋回しながら縦芯１２を編み込んでいく。最初は５本の縦芯１２を纏めて編み込み、３周ほど周回したところで２本づつ編み込み、最終的には１本づつ編み込むことで、縦芯１２を略均等な間隔で放射状に分散させる。縦芯１２の間隔が広がり過ぎるような場合には、その部分に新たに縦芯を追加する差し芯を行う。
【００１４】
編み芯１４の編み方については、追いかけ編み、三縄編み、四縄編みなど、一般的なかご編みに用いられる手法をそのまま用いていることができる。
【００１５】
編み芯１４が規定の高さまで編み上がると、縦芯１２の余った部分を固定する端部処理を行う。縦芯１２の端部処理は、端部１６を折り返し、編み芯１４の間に挿入して固定することにより行う。縦芯１２の周囲には多くの編み芯１４が横方向に走っており、これらの編み芯１４の間には隙間１８が形成されている。縦芯１２aの周囲には隙間１８aが形成されており、隣り合う縦芯１２bの周囲には隙間１８bが形成されている。縦芯１２aの端部処理を行う場合には、隙間１８aから露出した端部１６aを折り返し、隙間１８aの隣にある隙間１８bに挿入して固定する。縦芯１２bの端部処理も同様であり、隙間１８bから露出した端部１６bを折り返し、隙間１８bの隣にある隙間１８cに挿入して固定する。
【００１６】
このように縦芯の端部処理において、従来のように端部同士を巻き止めたりするのではなく、一本一本を折り返してそれぞれ独立した状態にしておくことにより、各縦芯が比較的自由に動くことができるようになる。その結果、籐かご１０の開口部は籐の持つしなやかさを活かした比較的自由な変形が可能になる。これにより従来のような大きく開いた形状に限られることがなくなり、籐かご１０のデザインの自由度が大幅に増すことから、商品としての魅力や使い勝手の向上が期待できる。
【００１７】
図３に示す球状の容器は、本考案の端部処理構造を用いて製作された籐細工である。容器２０は半球状の蓋部２２および容器部２４の２つの部分で構成されている。蓋部２２および容器部２４はともに縦芯と編み芯によって編み上げられており、蓋部２２の下端部と容器部２４の上端部には、折り返した縦芯を隣の縦芯の周囲の隙間に挿し込んで留める端部処理が施されている。
【００１８】
容器部２４の上端部は上に行くに従って内側に傾斜するテーパ形状に編み上げられており、外径は上に行くに従って小さくなる。最上端の外径は蓋部２２の下端部の内径より小さく、最上端から少し下がった部位２６の外径が蓋部２２の内径と等しくなっている。容器２０の蓋を閉じるときには、蓋部２２を容器部２４に軽く載せるだけでよく、蓋部２２の下端部の内径と容器部２４の外径が一致する部位２６まで蓋部２２が自重で下降し、容器部２４に被さるようになっている。部位２６より下方は外径が蓋部２２の内径より大きくなるため、蓋部２２は適当な位置で止まり、下がり過ぎることがないようになっている。蓋部２２には籐製の取っ手２８が設けられている。取っ手２８には蓋の開け閉めの際に指で摘むという本来の用途の他に容器２０の美観や装飾性を高めるという役割がある。
【００１９】
容器２０は本考案の端部処理構造を用いた籐細工の一例であるが、従来の籐細工では容易に開け閉めができる球状の容器のようにそれ自体に装飾性と実用性を兼ね備えたものを製作するのは非常に困難であったが、本考案の端部処理構造を用いることによって比較的簡単に製作することができるようになった。
【符号の説明】
【００２０】
１０  籐かご
１２  縦芯
１４  編み芯
１６  端部
１８  隙間
２０   容器
２２   蓋部
２４   容器部
【図１】
0003186490.tif 000003
【図２】
0003186490.tif 000004
【図３】
0003186490.tif 000005
【図４】
0003186490.tif 000006
【図５】
0003186490.tif 000007